(57)【要約】    【課題】レンズホルダのアクチュエータとハウジングとの間への塵埃の侵入を極力少なくすることができる構成の光ピックアップ装置を提供する。    【解決手段】アクチュエータ６は、金属板の打抜き、切起こしにより磁石保持部およびレンズホルダ５の支持部を形成したヨークベースを有し、ヨークベースは姿勢調整機構を介してハウジング１に固定される構造を有する。ヨークベースに形成された立上片からなるレンズホルダの支持部に、レンズホルダ５をワイヤにより支持する支持板２９と、ワイヤ７に電気的に接続する配線を有するフレキシブルプリント基板３３とを固定する。フレキシブルプリント基板３３の支持板２９への固定部よりハウジング１側の部分に形成した広幅の連絡部３３ａにより、支持板２９とハウジング１１との間の隙間を閉塞する。これによりこの隙間からの塵埃の侵入を防止する。【選択図】図５
2005115984.tif 000002
【特許請求の範囲】
【請求項１】
ハウジングに対物レンズのアクチュエータを搭載した光ピックアップ装置であって、
前記アクチュエータは、磁石保持部およびレンズホルダの支持部を立上げ状に形成したヨークベースを有し、
前記ヨークベースは姿勢調整機構を介して前記ハウジングに固定される構造を有し、
前記ヨークベースに形成されたレンズホルダの支持部に、前記レンズホルダをワイヤにより支持する支持板と、前記ワイヤに電気的に接続する配線を有するフレキシブルプリント基板とを固定し、
前記フレキシブルプリント基板の前記支持板への固定部よりハウジング側の部分に形成した広幅の連絡部により、前記支持板と前記ハウジングとの間の隙間を閉塞したことを特徴とする光ピックアップ装置。
【請求項２】
請求項１に記載の光ピックアップ装置において、
前記フレキシブルプリント基板の広幅の連絡部は、前記ヨークベースの前記レンズホルダの支持部の両側より、前記ハウジングのアクチュエータ取付け面に沿って平行に延出させた２本の延出部間の間隔にほぼ一致させたことを特徴とする光ピックアップ装置。
【発明の詳細な説明】
【技術分野】
【０００１】
本発明は、光記録再生装置または光再生装置の光ピックアップ装置に係わり、より詳しくはそのハウジング側への塵埃の侵入を防止し、ハウジングに保持される光学素子への塵埃の付着を防止するための構造に関する。
【背景技術】
【０００２】
光記録再生装置または光再生装置においては、光学素子を収容したハウジング上に、レンズホルダをフォーカス方向、トラッキング方向に駆動するためのアクチュエータが取付けられる。このようなアクチュエータはその基台となるヨークベースが、金属板の打抜き、切起こしにより形成される（例えば特許文献１、２参照）。このような光記録再生装置等においては、一般的に、図６に示すような構造で構成される。
【０００３】
図６において、１はハウジングであり、その両側に、光ディスクの半径方向に設置される不図示のガイド軸に沿ってガイド軸装着部２、３が設けられる。４は対物レンズ、５はレンズホルダ、６はレンズホルダ５をフォーカス方向、トラッキング方向に変位可能に保持したアクチュエータである。前記レンズホルダ５はこれに搭載したトラッキングコイル、フォーカスコイルに通電するリード線を兼ねた通常は左右それぞれ２本ずつ、合計４本のワイヤ７により片持ち式に支持され、各ワイヤ７は、ワイヤ７を支持する支持部に取付けられたフレキシブルプリント基板８を介して、ハウジング1上のフレキシブルプリント基板９等の基板に接続される。１０は外部回路に不図示のフレキシブルプリント基板を介して接続するためのコネクタである。
【０００４】
【特許文献１】特開平９−１６９９３号公報
【特許文献２】特開２００１−２６６３７９号公報
【発明の開示】
【発明が解決しようとする課題】
【０００５】
上述の従来の光ピックアップ装置において、アクチュエータ６は、通常、光軸調整のため、後述の姿勢調整機構を介してハウジング１に固定される。このため、アクチュエータ６とハウジング１との間の隙間１１が生じることが避けられない。このような隙間１１は塵埃がアクチュエータ６とハウジング１との間へ侵入する侵入路となり、その塵埃がハウジング1に収容される光学素子に付着することにより、そこを通る光のパワーが時間と共に低下し、性能が低下するという問題点がある。
【０００６】
本発明は、上記問題点に鑑み、レンズホルダのアクチュエータとハウジングとの間への塵埃の侵入を極力少なくすることができる構成の光ピックアップ装置を提供することを目的とする。
【課題を解決するための手段】
【０００７】
本発明の光ピックアップ装置は、ハウジングに対物レンズのアクチュエータを搭載した光ピックアップ装置であって、
前記アクチュエータは、磁石保持部およびレンズホルダの支持部を立上げ状に形成したヨークベースを有し、
前記ヨークベースは姿勢調整機構を介して前記ハウジングに固定される構造を有し、
前記ヨークベースに形成されたレンズホルダの支持部に、前記レンズホルダをワイヤにより支持する支持板と、前記ワイヤに電気的に接続する配線を有するフレキシブルプリント基板とを固定し、
前記フレキシブルプリント基板の前記支持板への固定部よりハウジング側の部分に形成した広幅の連絡部により、前記支持板と前記ハウジングとの間の隙間を閉塞したことを特徴とする。
【０００８】
また、本発明の光ピックアップ装置は、前記（１）において、
前記フレキシブルプリント基板の広幅の連絡部は、前記ヨークベースの前記レンズホルダの支持部の両側より、前記ハウジングのアクチュエータ取付け面に沿って平行に延出させた２本の延出部間の間隔にほぼ一致させたことを特徴とする。
【発明の効果】
【０００９】
本発明の光ピックアップ装置は、レンズホルダの支持部に固定するフレキシブルプリント基板の固定部よりハウジング側に延出した連絡部を広幅に形成し、その部分でワイヤの支持板とハウジングとの間の隙間を閉塞したので、その隙間からの塵埃の侵入を防止することができ、ハウジングに取付けられる光学素子の塵埃の付着によるパワー低下を防止することができる。
【００１０】
また、本発明は、新たに部品を追加することなく実施できるので、コスト高を回避できる。また、ハウジングに防塵のための壁を設ける場合に比較し、重量の増加が少ない。
【００１１】
また、フレキシブルプリント基板の広幅の連絡部は、前記ヨークベースの前記レンズホルダの支持部の両側より、前記ハウジングのアクチュエータ取付け面に沿って平行に延出させた２本の延出部間の間隔にほぼ一致させる構成とすることにより、前記隙間が良好に閉塞される。
【発明を実施するための最良の形態】
【００１２】
図１ないし図５は本発明による光ピックアップ装置の一実施の形態を示す図である。図１はアクチュエータを構成するヨークベース１２を示す斜視図である。ヨークベース１２は、鉄板を打抜き、切起こしにより、立上片でなる磁石保持部１３とレンズホルダ６の支持部１４とを形成したものである。ヨークベース１２の中央の開口部１５はレーザー光の通路を形成する。ヨークベース１２の支持部１４の両側には、水平に延出された延出部１６、１７を有する。
【００１３】
１９はヨークベース１２のハウジング側の面に突出させて設けた姿勢調整用の支点であり、図４に示すようにハウジング１の上面（図面上の上面を意味する。以下同じ。）に形成された支点受け２０に嵌合されるものである。また、図１において、２１はヨークベース１２に設けたばね受け片であり、図４に示すようにハウジング１に取付けられた板状のばね２２がばね受け片２１の上面に圧接して組立てられるものである。また、図１において、２３、２４はねじ孔であり、図４に示すようにハウジング１に貫通して取付けられる調整ねじ２５、２６がそれぞれねじ込まれるものである。前記支点１９、支点受け２０、ばね受け片２１、ばね２２、ねじ孔２３、２４、調整ねじ２５、２６によりヨークベース１２すなわちアクチュエータ６の姿勢調整機構が構成される。
【００１４】
図２に示すように、ヨークベース１２の前記レンズホルダ支持部１４に、ワイヤ７の振動を防止するダンパ２７を介してワイヤの支持板２９を重ねる。支持板２９にはワイヤ７を貫通する孔３０と後述の固定用ねじ３１を通す孔３２が設けられる。
【００１５】
図３に示すように、前記支持板２９には、ワイヤ７をハウジング1上のフレキシブルプリント基板９に端子部３３ａをはんだ付けにより接続するためのフレキシブルプリント基板３３が、ワイヤ７をフレキシブルプリント基板３３のパッドに設けた孔に貫通させ、はんだ付けする。そして、固定用ねじ３１をフレキシブルプリント基板３３の孔と前記支持板２９の孔３０に貫通して、支持部１４のねじ孔３４（図1参照）にねじ込むことにより、フレキシブルプリント基板３３が支持部１４に固定される。
【００１６】
フレキシブルプリント基板３３の支持部１４に対する固定部分の下の連絡部３３ｂは、前記ヨークベース１２の延出部１６、１７間の間隔にほぼ等しい広幅に形成する。また、この連絡部３３ｂはハウジング１と支持板２９との間に介在させるものであり、支持板２９への固定部分の下部の折り曲げ部分には欠除部３３ｃを設けて折り曲げを容易にしている。
【００１７】
３５はアクチュエータ６のカバーであり、該カバー３５は、対物レンズ４が露出するようにアクチュエータ６に上方から被せ、ヨークベース１２に下部を嵌合して固定する。
【００１８】
図４はアクチュエータ６をハウジング１に固定する前の状態を示しており、３６はコリメータレンズを示す。ハウジング１には前記したアクチュエータ６の姿勢調整機構によりアクチュエータ６を固定する。この固定は、ヨークベース１２の支点１９をハウジング1上の支点受け２０に設置し、ヨークベース１２に設けたばね受け片２１上にハウジング１に取付けられた板状のばね２２を圧接させ、ハウジング１に貫通して取付けた調整ねじ２５、２６を、ヨークベース１２に設けたねじ孔２３、２４に螺合し、調整ねじ２５、２６のねじ込み深さを調整することにより、アクチュエータ６の姿勢を調整して行う。図５はハウジング１にアクチュエータ６を固定した状態を示す。
【００１９】
前記アクチュエータ６のハウジング１への固定において、ばね２２を圧接するばね受け片２１と支点１９とねじ孔２３、２４の位置関係は、ばね受け片２１を上面からばね２２により押圧した場合、ねじ孔２３、２４の部分が浮き上がるように設定されている。従って、調整ねじ２５、２６のねじ込み深さを深くすることでねじ孔ヨークベースのねじ孔２３、２４の位置が下がるように構成され、これによりヨークベース１２、すなわちアクチュエータ６の姿勢が水平に調整できる。
【００２０】
本実施の形態において、前記支点１９は、アクチュエータ６におけるフレキシブルプリント基板３３の反対側に近い位置に設けられ、フレキシブルプリント基板３３の支持板２９への固定部と支点１９との間隔は、ばね受け片２１と支点１９との間隔より大きく設定されている。このため、アクチュエータ６の姿勢調整において、支持板２９側においてヨークベース１２とハウジング１との間隔が大きくなりやすい。しかしながら、本実施の形態においては、この間隔が大きくなりやすい隙間をフレキシブルプリント基板３３によって塞いでいるため、塵埃の侵入を有効に防止することができる。このため、前記コリメータレンズ３６やミラーなどの光学素子に塵埃が付着して出力が低下することを防止することができる。
【００２１】
本発明は、フレキシブルプリント基板３３の支持板２９ないし支持部１４へのより固定部より下の部分を広幅に形成してその広幅部分でアクチュエータ６とハウジング１との間を塞いでいるので、新たに部品を追加することなく実施でき、コスト高を招くことなく実施できるという利点がある。本発明を実施する場合、ヨークベース１２の構造やこれに対する磁石の取付け構造は種々に設計でき、例えば磁石保持部は複数設ける構造も採用できる。
【図面の簡単な説明】
【００２２】
【図１】本発明による光ピックアップ装置に用いるヨークベースの一例を示す斜視図である。
【図２】図１のヨークベースに支持板およびワイヤのダンパを取付けた状態を示す斜視図である。
【図３】図２のヨークベースにさらにフレキシブルプリント基板を取付けた状態を示す斜視図である。
【図４】本発明による光ピックアップ装置の一実施の形態をハウジングにアクチュエータを取付ける前の状態で示す分解斜視図である。
【図５】本発明による光ピックアップ装置の一実施の形態をハウジングにアクチュエータを取付けた状態で示す斜視図である。
【図６】従来の光ピックアップ装置を示す斜視図である。
【符号の説明】
【００２３】
１：ハウジング、２、３：ガイド軸装着部、４：対物レンズ、５：レンズホルダ、６：アクチュエータ、７：ワイヤ、９：フレキシブルプリント基板、１０：コネクタ、１２：ヨークベース、１３：磁石保持部、１４：レンズホルダ支持部、１５：開口部、１６、１７：延出部、１９：支点、２０：支点受け、２１：ばね受け片、２２：ばね、２３、２４：ねじ孔、２５、２６：調整ねじ、２７：ダンパ、２９：支持板、３０：孔、３１：固定用ねじ、３２：孔、３３：フレキシブルプリント基板、３３ａ：端子部、３３ｂ：連絡部、３３ｃ：欠除部、３４：ねじ孔、３５：カバー、３６：コリメータレンズ
【図１】
2005115984.tif 000003
【図２】
2005115984.tif 000004
【図３】
2005115984.tif 000005
【図４】
2005115984.tif 000006
【図５】
2005115984.tif 000007
【図６】
2005115984.tif 000008